(57)【要約】【課題】表面１６に固定可能な装着ブラケット１４と、前記装着ブラケット１４を受け入れるための前記被取付部材１２の凹部２８とを備えた、被取付部材１２の表面装着システム１０を提供する。【解決手段】前記凹部２８は、表面１６と隣接する被取付部材の側面部に設けられ、固定手段は、前記装着ブラケット１４が前記凹部２８に受け入れられる際に、前記装着ブラケット１４を、前記被取付部材１２に固定するために設けられている。【選択図】図１
2008540945.tif 000002
【特許請求の範囲】
【請求項１】
表面に固定可能な装着ブラケットと、表面と隣接する被取付部材の側面部に設けられ、前記装着ブラケットを受け入れるための前記被取付部材の凹部と、前記装着ブラケットが前記凹部に受け入れられる際に、前記装着ブラケットを前記被取付部材に固定するための固定手段とを備えることを特徴とする被取付部材の表面装着システム。
【請求項２】
前記凹部は、細長部材が完全に凹部の中に含まれるように、前記装着ブラケットの形状と相補う形状をしていることを特徴とする請求項１記載の装着システム。
【請求項３】
前記装着ブラケットは、使用時に表面から離れる方向に突設する１つ以上の支持棒を備え、前記１つ以上の支持棒が前記被取付部材の対応する孔部に受け入れられることを特徴とする請求項１または２記載の装着システム。
【請求項４】
前記１つ以上の支持棒は、前記装着ブラケットと係合可能で、前記装着ブラケットと前記被取付部材との係合によって、前記装着ブラケットから外れないように構成されていることを特徴とする請求項３記載の装着システム。
【請求項５】
前記装着ブラケットは、１つ以上の細長状穴部を備え、前記細長状穴部は、それぞれ狭幅端部を有し、そして１つ以上の支持部材の端には膨出拡張部を備え、前記支持部材が前記狭幅端部に向かって摺動可能で、その結果、前記支持部材が前記装着ブラケットから外れないように、前記膨出拡張部は前記細長状穴部の１つに受け入れ可能であることを特徴とする請求項４記載の装着システム。
【請求項６】
前記装着ブラケットが空洞の細長部材を備え、前記支持部材の膨出拡張部の断面形状が、前記細長部材の空洞内部の断面形状を相補っていることを特徴とする請求項５記載の装着システム。
【請求項７】
前記装着ブラケットが前記凹部に受け入れられる際に、前記被取付部材を前記装着ブラケットに固定するために固定手段が設けられることを特徴とする請求項１ないし６のいずれか記載の装着システム。
【請求項８】
前記固定手段は、被取付部材を前記装着ブラケットの支持棒に固定することを特徴とする請求項３ないし７のいずれか記載の装着システム。
【請求項９】
前記固定手段は、前記凹部の孔と位置を整合された被取付部材の開口部に受け入れられる１つ以上のねじを備え、前記ねじは前記支持棒と係合することを特徴とする請求項８記載の装着システム。
【請求項１０】
前記空洞の細長部材は、第１側面部に、表面に前記細長部材を固定する壁用締め金具を受け入れるための複数の第１の穴部と、対向した第２側面部に複数の第２の穴部を備え、前記複数の第２の穴部は、前記複数の第１の穴部よりも径大で、前記壁用締め金具が前記複数の第１の穴部に係止できるように設けることを特徴とする請求項６ないし９のいずれかに記載の装着システム。
【請求項１１】
前記装着ブラケットは、表面上で前記装着ブラケットの水平位置あわせを補助する気泡型アルコール水準器を備えることを特徴とする請求項１ないし１０のいずれか記載の装着システム。
【請求項１２】
前記被取付部材が棚であることを特徴とする請求項１ないし１１のいずれか記載の装着システム。
【請求項１３】
前記装着ブラケットは、棚に置かれる装置用ケーブル配線を受け入れるための内部通路部を備えること特徴とする請求項１２記載の装着システム。
【発明の詳細な説明】
【技術分野】
【０００１】
本発明は、被取付部材を表面に取り付けるための装着システムに関するものである。
【背景技術】
【０００２】
棚や他の類似した家具などの被取付部材を壁に取り付ける際に、最も一般的な方法は、１つ以上の支持ブラケットを壁に取り付け、棚をブラケットの上部に取り付けることである。
【０００３】
棚の設置は通常自ら行っていることであるが、一般に入手可能な棚の設置用キットは、自分の家に棚を設置することを望んでいる者にとって多くの欠点がある。まず第一に、ほとんどの棚の設置では壁に別々に少なくとも２つのブラケットを取り付けることを必要としているので、その設置をする者は、棚が水平になるように、先に設置したブラケットに対して、確実に各ブラケットが正しく垂直に並べられるとともに、棚が水平に置かれるために、多くの手順を経なければならない。
【０００４】
この種の配置では、ブラケットが目に見えることになり、しばしば棚の外観を損ない、部屋の奥行きを浅くすると考えられる。ブラケットなしで棚を設置することが可能であるが、これはしばしば棚を組み立てるために訓練された職人を雇い、ブラケットが隠れるように、設置をささえることを必要とする。
【０００５】
本発明は、棚のような、被取付部材を壁に装着する際の上記問題点を、少なくとも一部克服するためになされるものである。
【発明の開示】
【０００６】
本発明の１つの特徴に従って、被取付部材を表面に取り付けるための装着システムが提供され、その装着システムは、表面に固定可能な装着ブラケットと、表面と隣接する被取付部材の側面部に設けられ、前記装着ブラケットを受け入れるための前記被取付部材の凹部と、前記装着ブラケットが前記凹部に受け入れられる際に、前記装着ブラケットを前記被取付部材に固定するための固定手段とを備えている。
【図面の簡単な説明】
【０００７】
以下、本発明の実施例を、添付図面を参照して説明する。
【図１】取り付けるべき被取付部材が壁棚を備えている本発明の装着システムの分解斜視図である。
【図２】図１の棚部の上方からの斜視図である。
【図３】図１の装着システムの装着ブラケットの上方からの斜視図である。
【図４ａ】前記棚の凹部に受け入れられた前記装着ブラケットの後方からの斜視図である。
【図４ｂ】壁に取り付けられた前記棚の側面図である。
【図４ｃ】壁に取り付けられた前記棚の垂直断面図である。
【図５】前記棚に対する前記装着ブラケットの内部接続状態を示す装着ブラケットに固定された棚の斜視図である。
【図６ａ】前記装着ブラケットへの支持棒の取り付け状態を示す装着ブラケットの分解組立図である。
【図６ｂ】前記装着ブラケットの支持棒に前記棚を固定した状態を示す垂直断面図である。
【図７ａ】図１の装着システムの前記装着ブラケットの正面図である。
【図７ｂ】図１の装着システムの前記装着ブラケットの背面図である。
【図７ｃ】図１の装着システムの前記装着ブラケットの一方の端面図である。
【図７ｄ】図１の装着システムの前記装着ブラケットの他方の端面図である。
【図８ａ】図１の装着システムの前記棚の背面図である。
【図８ｂ】図８ａの前記棚のＡＡ−ＡＡ線断面図である。
【図９ａ】本発明の装着ブラケットの追加実施例の斜視図である。
【図９ｂ】ケーブル通路を備える図１の装着ブラケットの追加実施例の斜視図である。
【図９ｃ】ケーブル通路を備える図９ａの装着ブラケットの実施例の斜視図である。
【発明を実施するための最良の形態】
【０００８】
添付図を参照すると、図は被取付部材を壁１６に取り付ける装着システム１０が示される。図示された実施例において、前記被取付部材は棚１２を備えるが、前記装着システム１０は正面側の表面への他の被取付部材の取り付けにも適用することができる。
【０００９】
前記装着システム１０は、前記棚１２と装着ブラケット１４を備える。前記装着ブラケット１４は、壁１６に固定可能で、固定手段が棚１２を装着ブラケット１４に固定するために設けられる。
【００１０】
前記装着システム１４は、四角形の断面を有する空洞の細長部材２０を備える。その細長部材２０は、第１側面部２４に複数の第１の穴部２２を備えており、その第１側面部２４は、壁１６に固定される面となる。前記第１の穴部２２は、装着ブラケット１２を壁１６に固定するための、適切な固定手段を受け入れるために設けられる。その固定手段は、周知の壁用締め金具２７などの、装着ブラケット１２を固定するのに適切な、いかなる装置でもよい。前記細長部材２０には、第１側面部２４と対向した第２側面部２５に複数の第２の穴部２６を設け、その第２の穴部２６は、前記第１の穴部２２と同一軸線上に配置される。前記複数の第２の穴部２６は、前記複数の第１の穴部２２よりも径大であり、前記壁用締め金具の挿入のために、その壁用締め金具を前記複数の第１の穴部２２の正面側に係止できるようにしている。
【００１１】
前記棚１２は、壁１６と隣接して設置される棚１２の側面部３０側に凹部２８を設ける。この凹部２８は、前記細長部材２０が壁１６側に固定されるとき、前記細長部材２０は、棚１２の前記側面部３０が壁１６側に接触して前記凹部２８に受け入れられるように、前記細長部材２０の形状を嵌合するような相補う形状をしている。すなわち、前記細長部材２０は、完全に凹部２８の中に入り込むものである。
【００１２】
前記装着ブラケット１４は、壁１６に対して垂直方向に、棚１２の本体内部へ向かって、前記装着ブラケット１４から突設して配設される少なくとも１つの支持部材３２を備える。実施例において図示されるように、前記支持部材３２には、第１および第２支持棒３４を備える。各支持棒３４は、前記細長部材２０から外方へ突設する。前記棚１２の凹部２８には、前記凹部２８の内側表面部に、前記第１および第２孔部３６を設け、前記細長部材２０が凹部２８に受け入れられる時、前記第１および第２支持棒３４が、対応する第１および第２孔部３６に受け入れられるように、同一軸線状に位置整合している。それにより、前記第１および第２支持棒３４は、前記棚１２の少なくとも奥行き方向の一部分に延伸することにより、更に補強している。好ましくは、前記第１および第２支持棒３４は、棚の奥行き方向の大部分にわたって延伸する。
【００１３】
この実施形態において、管部５３が、前記孔部３６内に連通するように固定して備えられる。その管部５３は、前記支持棒３４の孔部３６への挿入を容易にし、組立部を補強するために、好ましくは、金属製など、適した材質からなっている。
【００１４】
前記支持棒３４は、前記細長部材２０と着脱可能な係合状態に取り付けられている。前記細長部材２０は、第２側面部２５に第１と第２細長状穴部４６を設ける。前記細長状穴部４６は、それぞれ端部に上下方向開口幅が狭い部分４８を備える。前記第１および第２支持棒３４は、それぞれ前記第１と第２細長状穴部４６に挿入するように基端部に受け入れ可能な膨出した拡張部分４９を備える。前記支持棒３４は、その結果、前記細長状穴部４６に沿って、前記狭幅部分４８へ向かって横向きに摺動可能であるが、前記膨出拡張部４９は、そのとき係止されて細長状穴部４６から取り外しできなくなる。
【００１５】
前記支持棒３４の膨出拡張部４９は、前記細長部材２０の断面形状に嵌合するように相補うように形成され、前記支持棒３４の耐荷重機能を提供し、前記壁用締め金具にその負荷を移す。
【００１６】
前記装着システム１０は、前記装着ブラケット１４が棚１２の凹部２８に嵌合して受け入れられる時、前記装着ブラケット１４に棚１２を固定するための固定手段を備える。実施例において図示されるように、その固定手段は、前記支持棒３４とそれに対応する固定用の係合ネジ４０を備える。その係合ネジ４０は、棚１２の上面に設けられた開口部４２に下方に向けて挿通される。その開口部４２は、前記係合ネジ４０が支持棒３４と係合するように、前記凹部２８の孔部３６と位置整合される。このようにして前記係合ネジ４０は、前記孔部３６からの支持棒３４の抜けを防止し、これにより、前記装着ブラケット１４に棚１２を固定する。実施例において図示されるように、前記係合ネジ４０は前記開口部に下方に向けて挿通されるが、前記開口部４２は、前記係合ネジ４０を上方へ挿入するように、棚１２の下面に設けてもよい。前記棚１２の上面が下面よりも目に入る低位置で、棚１２がはめ込まれる時、このような代替案の配置は、さらに適しているかもしれない。
【００１７】
使用時に、前記棚１２がはめ込むべき位置に、前記装着ブラケット１４が、壁１６と当接して位置している。前記装着ブラケット１４には、単一の前記細長部材２０を備えているので、前記棚を水平にするためには、前記細長部材２０の上面にアルコール水準器をただ単に置き、水平になるまで前記細長部材２０を調整することによって、実行することができる。壁に前記装着ブラケット１４を固定するために、その壁に開けられる穴の位置は、前記第２の穴部２６から前記第１の穴部２２を通じてペンあるいは適当に印を入れ、壁１６にマーキングすることによって、印を付けることができる。他の実施例として、前記装着ブラケット１２は、前記細長部材２０に内蔵した気泡型アルコール水準器を用いて、全体の水平化手段を提供してもよい。この実施例において、前記細長部材２０は、ただ単に壁１６に当接して保持してから、前記細長部材２０に表示された気泡が水平になるまで、調整させるだけでよい。
【００１８】
その際適切な大きさの穴を、印をつけた位置の壁１６に開けることができる。これは、両手で組立部品を正しく取り付けることを可能にする。前記細長部材２０は、その際壁に当接して印の付けられた位置に設置され、前記第２の穴部２６、第１の穴部２２を経て、壁１６に適切な壁用締め金具を通すことによって固定される。
【００１９】
次に、前記支持棒３４が、対応する前記細長状穴部４６への膨出拡張部４９の挿入と、前記細長状穴部４６の狭幅部４８へ支持棒３４を摺動することによって、前記細長部材２０に固定される。そして前記棚１２は、前記細長部材２０が凹部２８に含まれるまで、前記凹部２８の孔部３６へ前記支持棒３４を摺動することによって、前記装着ブラケット１４に固定される。次に、前記棚１２は、前記開口部４２に、係合ネジ４０を通すことによって、前記支持棒３４と係合し、固定される。たとえ前記装着ブラケット１４が、水平位置から外れて設置されても、前記棚１２は、それでもまだ装着ブラケット１４に取り付けることができるが、従来型の個々の装着ブラケットを使う際には、取り付けできない。
【００２０】
図９ａと９ｂは、本発明の装着ブラケットの他の実施例を示す。図９ａの実施例では、前記細長部材２０は、前記第１と第２細長状穴部４６の代わりに、前記細長部材２０の全長にわたって平行に延びている１つの細長状穴部５０を備える。その細長状穴部５０の穴幅は、前記支持棒３４の膨出拡張部４９の幅より小さく、その膨出拡張部４９は、図示のように前記細長部材２０の開口端５２へ摺動することによって、前記細長部材２０に受け入れられる。
【００２１】
図９ａの実施例では、前記細長部材と棚１２は、所望のいかなる長さでも切ることができるように、購入の際には、長く提供される。使用される支持棒３４の数は、購入される棚１２と装着ブラケット１４の長さに依存する。この配設において、前記棚１２の凹部２８は、切断により長手方向の開口端を有しており、したがって前記凹部は、前記棚１２の背面に沿って溝状の形をしている。そして、あらわれた開口部をかぶせるために、前記細長部材２０の開口端へ取り付けるための、キャップ（図示せず）を提供する。
【００２２】
図９ｂと９ｃは、図３と９ａの前記装着ブラケット１２の他の実施例を示す。いずれの場合にしても、前記細長部材２０は、前記第１側面部２２と隣接して、内部通路部６０を設ける。この通路部６０は、前記棚１２上に置かれる装置用電気ケーブル配線に使用される。前記棚１２の上面から前記通路部６０への１つ以上の穴を、前記通路部６０の内部から棚１２上の装置にケーブルを配線して通すために設けてもよい。
【００２３】
前記装着システムで使用される部材間幅、材料、寸法は、垂直面にいろいろな被取付部材を取り付けるための、広範囲の、特に重量物用の耐荷重機能を提供することができる。それは、現状では一般的に取り付けが困難で、しばしば端部が見苦しくなるような複数の個別ブラケットを使用することでのみ可能である。
【００２４】
当業者が見て明らかなように、この変更点と変化点は、本発明の範囲内であるとみなされる。
【図１】
2008540945.tif 000003
【図２】
2008540945.tif 000004
【図３】
2008540945.tif 000005
【図４ａ】
2008540945.tif 000006
【図４ｂ】
2008540945.tif 000007
【図４ｃ】
2008540945.tif 000008
【図５】
2008540945.tif 000009
【図６ａ】
2008540945.tif 000010
【図６ｂ】
2008540945.tif 000011
【図７ａ】
2008540945.tif 000012
【図７ｂ】
2008540945.tif 000013
【図７ｃ】
2008540945.tif 000014
【図７ｄ】
2008540945.tif 000015
【図８ａ】
2008540945.tif 000016
【図８ｂ】
2008540945.tif 000017
【図９ａ】
2008540945.tif 000018
【図９ｂ】
2008540945.tif 000019
【図９ｃ】
2008540945.tif 000020
【手続補正書】
【提出日】平成19年3月12日(2007.3.12)
【手続補正１】
【補正対象書類名】特許請求の範囲
【補正対象項目名】全文
【補正方法】変更
【補正の内容】
【特許請求の範囲】
【請求項１】
表面に固定可能な装着ブラケットと、表面と隣接する被取付部材の側面部に設けられ、前記装着ブラケットを受け入れるための前記被取付部材の凹部と、前記装着ブラケットが前記凹部に受け入れられる際に、前記装着ブラケットを前記被取付部材に固定するための固定手段を備え、前記装着ブラケットが、使用時に表面から離れる方向に延伸する支持部材を備え、前記支持部材が前記被取付部材の対応する孔部に受け入れられるように配設され、前記装着ブラケットが長手方向に延伸する細長状穴部を備え、前記支持部材が、前記装着ブラケットからの前記支持部材の脱落を防ぐために、前記細長状穴部と着脱可能に係合するために配設された膨出拡張端を有することを特徴とする被取付部材の表面装着システム。
【請求項２】
前記装着ブラケットは、前記装着ブラケットからの前記支持部材の脱落を防ぐために、比較的幅狭な端部と比較的幅広な端部をそれぞれ有する１つ以上の前記細長状穴部と、基端に前記細長状穴部の幅広な端部に受け入れ可能な膨出拡張部をそれぞれ有する同数の支持部材を備え、前記支持部材が前記幅狭な端部に向かって摺動可能であることを特徴とする請求項１記載の装着システム。
【請求項３】
前記装着ブラケットが空洞の細長部材を備え、前記支持部材の膨出拡張部の断面形状が、前記細長部材の空洞内部の断面形状を相補っていることを特徴とする請求項２記載の装着システム。
【請求項４】
前記装着ブラケットが前記凹部に受け入れられる際に、前記被取付部材を前記装着ブラケットに固定するために固定手段が設けられることを特徴とする請求項２または３記載の装着システム。
【請求項５】
前記固定手段は、被取付部材を前記装着ブラケットの１つ以上の各支持部材に固定することを特徴とする請求項４記載の装着システム。
【請求項６】
前記固定手段は、前記凹部の孔と位置を整合された被取付部材の開口部に受け入れられる１つ以上のねじを備え、前記ねじは１つ以上の各支持部材と係合することを特徴とする請求項５記載の装着システム。
【請求項７】
前記空洞の細長部材は、第１側面部に、表面に前記細長部材を固定する壁用締め金具を受け入れるための第１の穴部のセットと、対向した第２側面部に第２の穴部のセットを備え、前記第２の穴部のセットは、前記第１の穴部のセットよりも径大で、前記壁用締め金具が前記第１の穴部のセットに当接できるように設けることを特徴とする請求項３ないし６のいずれかに記載の装着システム。
【請求項８】
前記装着ブラケットは、表面上で前記装着ブラケットの水平位置あわせを補助する気泡型アルコール水準器を備えることを特徴とする請求項１ないし７のいずれか記載の装着システム。
【請求項９】
前記被取付部材が棚であることを特徴とする請求項１ないし８のいずれか記載の装着システム。
【請求項１０】
前記装着ブラケットは、棚に置かれる装置用ケーブル配線を受け入れるための内部通路部を備えること特徴とする請求項９記載の装着システム。
【国際調査報告】
2008540945.tif 000021
2008540945.tif 000022
2008540945.tif 000023